(57)【要約】      （修正有）【課題】試供品や景品の寸法が容器の寸法より大きい場合でも首掛け袋が不必要に垂れ下がって邪魔になることがなく、かつ、首掛け袋に外力が加わった場合にも封緘部が外れてしまうことのない、容器用首掛け袋を提供する。【解決手段】首掛け穴部１６が前記内容物装填袋部１８の高さ方向に対して垂直な横方向に延びて形成され、かつ、前記首掛け穴部１６の位置が前記内容物装填袋部１８の高さ方向の上端１８ａから下端１８ｂの範囲内に設けられていて、前記内容物装填袋部１８に外力が加わった場合、前記内容物装填袋部１８から首掛け穴部１６から容器の首部に力が伝わるだけで、封緘部２０に外力が加わらず、封緘用糊部２０ａが外れることが無い位置に封緘部２０を設けているものである。【選択図】図１
2011006119.tif 000002
【特許請求の範囲】
【請求項１】
穴が形成されていてその穴に容器の首部を通して掛け止めする首掛け穴部と、内容物を装填するための内容物装填袋部と、前記内容物装填袋部に内容物を装填した後に前記内容物装填袋部を封緘するための封緘部とを設けてなり、前記封緘部が封緘後に開封・再開封が可能なように設けられている容器用首掛け袋において、
前記首掛け穴部が前記内容物装填袋部の高さ方向に対して横方向に延びて形成され、かつ、前記首掛け穴部の位置が前記内容物装填袋部の高さ方向の上端から下端の範囲内に設けられて、
前記内容物装填袋部に外力が加わった場合、前記内容物装填袋部から封緘部に外力が加わらず、封緘が外れることが無い位置に封緘部を設けていることを特徴とする容器用首掛け袋。
【請求項２】
首掛け袋を掛ける前記容器の首部より下の高さ寸法をＬ１とし、前記内容物装填袋部の首掛け穴部より上の高さ寸法をＬ２とし、前記内容物装填袋部の首掛け穴部よりも下方の寸法をＬ３としたときにＬ１≧Ｌ３であることを特徴とする請求項１に記載の容器用首掛け袋。
【請求項３】
前記首掛け穴部と前記封緘部が、連続して形成されていない構造であることを特徴とする請求項１に記載の容器用首掛け袋。
【請求項４】
首掛け穴部が前記内容物装填袋部に長さ方向中央部に突出形成され、前記封緘部が内容物装填袋部の上端から首掛け穴部側に折り曲げて封緘する構造になっていることを特徴とする請求項３に記載の容器用首掛け袋。
【請求項５】
前記内容物装填袋部の上端で折り曲げられて下方に延びる部分の途中部から内容物装填袋部にほぼ直角方向に折り曲げて首掛け穴部を突出させ、その首掛け穴部の基部を下方に延して封緘部としたことを特徴とする請求項１または２に記載の容器用首掛け袋。
【発明の詳細な説明】
【技術分野】
【０００１】
本発明は、液体、粉体または粒体の洗剤や柔軟剤等をボトル等の容器に詰めた各種商品に試供品や景品を添えて店頭で展示・販売するために、試供品や景品を収納部に装填封緘し、上記容器の首部に首掛け穴部を通して掛ける容器用首掛け袋に関する。
【背景技術】
【０００２】
従来、洗剤等を容器に詰めた各種商品に、販売促進のため容器用首掛け袋が用いられている。この種の首掛け袋は、容器の首部に掛ける首掛け穴部を有し、試供品や景品を装填封緘してボトルの首部に掛けるものであって、これに関する種々の提案がされている。
【０００３】
例えば、特開２００２−３７２７５号（特許文献１）開示の詰め替え用包装体は、ディスペンサー容器のディスペンサーの頂部に係合部を係合させて装着している。この係合部は、連接用シール部を介して充填部の上方に連接され、ディスペンサーを挿入するスリットを形成しているものである。この包装袋では、係合部のスリットを開けてディスペンサーに挿入しており、封緘はヒートシールによるので、開封・再封緘ができないものである。
【０００４】
また、特開２００２-３７２７６号（特許文献２）開示の詰め替え用包装体は、係合部が連接用シール部を介して充填部の上方に連接され、スリットにディスペンサーを挿入してディスペンサーに装着している。この詰め替え包装袋でも、封緘はヒートシールで開封・再封緘ができないものである。
【０００５】
また、特開２００２-３７２７７号（特許文献３）開示の詰め替え用袋は、嵌合用の穴にトリガーと首部を嵌合させた後にディスペンサー頂部を包み込むように折り返してディスペンサーに装着している。しかしながら、この詰め替え用袋では、封緘はヒートシールで開封・再封緘ができないものである。また袋を折り返す方式である。
【０００６】
また、特開２００２-９６８４３号（特許文献４）開示の詰め替え用袋は、首掛け用の孔と側部に注出口を形成するための切り欠きを形成し、孔にボトルの首部を挿入してボトルに掛けて装着するものである。しかしながら、この詰め替え用袋では、ボトルの首部に掛ける穴に嵌合した状態では、ディプレイを大きく構成できない。また、封緘はヒートシールで開封・再封緘ができないものである。
【０００７】
また、特許第３９４５１５５号（特許文献５）開示の詰め替え用袋は、係合部（首掛け穴部が形成される）の非シールを構成する表裏一体の２枚のフィルムで筒状の係合筒を形成して、その係合筒部をキャップの先端に被せてボトルに装着するものである。しかしながら、この詰め替え袋は、長さ方向端部の係合部を容器首部に掛ける長さを長くできない。また、封緘はヒートシールで開封・再封緘ができないものである。
【０００８】
また、特開２００４-１７５４１０号（特許文献６）開示の缶専用首掛け袋は、首掛け部と物品収納部がシール部を介して一体形成されたものである。ただ、この首掛け袋では、首掛け部穴径が缶上端部直径より若干小さく形成されている。封緘はヒートシールで開封・再封緘ができないものである。
【０００９】
また、実公昭６０−３４５８８号公報（特許文献７）開示のポーションパックは、試供品等収納して本体容器に取り付ける首掛けポーションパックにおいて、収納部周囲に周辺部を設け、周辺部上方に外周に沿って逆Ｕ字形状のノッチを設けたものである。しかしながら、封緘はヒートシールで開封・再封緘ができないものである。
【００１０】
上記各公報開示の首掛け袋においては、封緘をヒートシールしており、開封・再封緘ができないものであり、また、袋の中に装填する試供品や景品の寸法がボトル本体より大きい場合には、首掛け袋がボトル本体よりも高さ方向ではみ出してしまい、不必要に垂れ下がって邪魔になるという課題がある。
【００１１】
これに対して、発明者は、首掛け穴部と封緘部の位置を調整して首掛け袋がボトル本体より不必要にはみ出さないようにするものを考えたものである。
【００１２】
その種の首掛け袋について、例えば図５〜図６に比較例１を示し、図７〜図８に比較例２を示す。これら比較例１、２の首掛け袋は、いずれも樹脂膜を積層した袋状部に試供品や景品等を収納するものである。
【００１３】
比較例１の首掛け袋は、図５に示すように、帯状の樹脂フィルムを重ねて折り、その幅端部をヒートシール（ａ１で示す）した袋状帯体ａであって、長さ方向一端部に容器の首に掛けるための孔ｂを開けた首掛け部ｃを形成している。この首掛け部ｃの樹脂フィルムは一部ヒートシールしない部分を長く延ばして封緘部ｄとする。この封緘部ｄには、封緘・再封緘可能な粘着性糊を塗付した封緘用糊部ｄ１を形成する。また、封緘部ｄより下方は試供品や景品の収納部ｅとした袋状にヒートシールしている部分である。図５（ｃ）のように収納部ｅに試供品等を収納した後に封緘部ｄで収納部ｅを封緘できるようにしている。
【００１４】
ボトルｆに掛ける場合は、図６に示すように、首掛け袋を、首掛け部ｃと収納部ｅとの間で折り曲げた状態として、ボトルｆの首部ｆ１を孔ｂに通して当該首掛け袋を掛けるようにしている。
【００１５】
この比較例１では、収納部ｅに装填する試供品や景品の寸法がボトルｆ本体の寸法長さよりも大きい場合、首掛け袋がボトルｆ本体よりも下方にはみ出してしまい、不必要に垂れ下がって棚や台上に展示する際に邪魔になる問題が生じる。
【００１６】
また、他の比較例２の首掛け袋は、図７に示すように、帯状の樹脂フィルムを重ねて折り、その幅端部をヒートシールａ１した袋状帯体ａであって、長さ方向一端部に容器の首に掛けるための孔ｂを開けた首掛け部ｃを形成する。比較例１と異なり、袋状帯体ａの裏面側（図７（ｂ））長さ方向中央部に谷折り線ｇ１を形成し、その中央部と首掛け部ｃとの境界に山折り線ｇ２を形成する。そして、図７（ｃ）のように折り曲げて、その谷折り線ｇ１と山折り線ｇ２との間の領域を封緘部ｄとし、その山折り線ｇ２付近に内側に封緘・再封緘可能な粘着性糊を塗付した封緘用糊部ｄ１を塗付形成している。
【００１７】
封緘用糊部ｄより下方は試供品や景品の収納部ｅとして袋状にヒートシールしている部分になる。図７（ｃ）のように収納部ｅに試供品等を収納した後に封緘用糊部ｄで収納部ｅを封緘する。
【００１８】
比較例２の首掛け袋を容器ｆに掛ける場合は、図８に示すように、首掛け袋を、首掛け部ｃと封緘部ｄとの間で折り曲げて封緘部ｄ（封緘用糊部ｄ１）を収納部ｅ途中に糊付けした状態として、容器ｆの首部ｆ１を孔ｂに通して当該首掛け袋を掛けるようにしている。
【００１９】
袋の収納部ｅに装填する試供品や景品の寸法が容器ｆ本体の寸法より大きい場合でも、首掛け袋が当該本体より下方にはみ出してしまうことは無いが、図８（ｂ）に示すように首掛け袋に矢印ｈ方向に力が加わった場合、封緘部ｄにも力が加わって封緘糊部ｄ１が剥がれてしまう問題が生じる。
【先行技術文献】
【特許文献】
【００２０】
【特許文献１】特開２００２−３７２７５号公報
【特許文献２】特開２００２-３７２７６号公報
【特許文献３】特開２００２-３７２７７号公報
【特許文献４】特開２００２-９６８４３号公報
【特許文献５】特許第３９４５１５５号公報
【特許文献６】特開２００４-１７５４１０号公報
【特許文献７】実公昭６０−３４５８８号公報
【発明の概要】
【発明が解決しようとする課題】
【００２１】
本発明は、斯かる実情に鑑み、試供品や景品の寸法が容器の寸法より大きい場合でも首掛け袋が不必要に垂れ下がって邪魔になることがなく、かつ、首掛け袋に外力が加わった場合にも封緘部が外れてしまうことのない、開封・再封緘可能な容器用首掛け袋を提供するものである。
【課題を解決するための手段】
【００２２】
本発明は容器用首掛け袋に係るものであって、穴が形成されていてその穴に容器の首部を通して掛け止めする首掛け穴部と、内容物を装填するための内容物装填袋部と、前記内容物装填袋部に内容物を装填した後に前記内容物装填袋部を封緘するための封緘部とを設けてなり、前記封緘部が封緘後に開封・再開封が可能なように設けられている容器用首掛け袋において、
前記首掛け穴部が前記内容物装填袋部の高さ方向に対して横方向に延びて形成され、かつ、前記首掛け穴部の位置が前記内容物装填袋部の高さ方向の上端から下端の範囲内に設けられていて、
前記内容物装填袋部に外力が加わった場合、前記内容物装填袋部から封緘部に外力が加わらず、封緘が外れることが無い位置に封緘部を設けていることを特徴とする容器用首掛け袋である。
【００２３】
本発明において、首掛け袋を掛ける前記容器の首部より下の高さ寸法をＬ１とし、前記内容物装填袋部の首掛け穴部より上の高さ寸法をＬ２とし、前記内容物装填袋部の首掛け穴部よりも下方の寸法をＬ３としたときにＬ１≧Ｌ３であることが好適である。
【００２４】
また、本発明において、前記首掛け穴部と前記封緘部が、連続して形成されていない構造であることが好適である。
【００２５】
また、本発明において、首掛け穴部が前記内容物装填袋部に長さ方向中央部に突出形成され、前記封緘部が内容物装填袋部の上端から首掛け穴部側に折り曲げて封緘する構造になっていることが好適である。
【００２６】
本発明において、前記内容物装填袋部の上端で折り曲げられて下方に延びる部分の途中部から内容物装填袋部にほぼ直角方向に折り曲げて首掛け穴部を突出させ、その首掛け穴部の基部を下方に延して封緘部としたことが好適である。
【発明の効果】
【００２７】
本発明の容器用首掛け袋によれば、前記首掛け穴部が前記内容物装填袋部の高さ方向に対して横方向に延びて形成され、かつ、前記首掛け穴部の位置が前記内容物装填袋部の高さ方向の上端から下端の範囲内に設けられているので、首掛け袋の中に装填する内容物の寸法が、首掛け袋を掛ける容器本体の寸法より大きい場合でも、首掛け袋が容器本体よりはみ出してしまうことがないように設定できる。
【００２８】
それと共に、前記内容物装填袋部に外力が加わった場合、前記内容物装填袋部から封緘部に外力が加わらず、封緘が外れることが無い位置に封緘部を設けているので、封緘部が外れてしまうことがない。
【００２９】
具体的には、首掛け袋を掛ける前記容器の首部より下の高さ寸法をＬ１とし、前記内容物装填袋部の首掛け穴部より上の高さ寸法をＬ２とし、前記内容物装填袋部の首掛け穴部よりも下方の寸法をＬ３としたときにＬ１≧Ｌ３との構成にするのが好ましい。
【００３０】
また、前記首掛け穴部と前記封緘部が、連続して形成されていない構造として、確実に首掛け穴部に加わる力が前記封緘部に及ばないようすることができる。
【００３１】
また、首掛け穴部が前記内容物装填袋部に長さ方向中央部に突出形成され、前記封緘部が内容物装填袋部の上端から首掛け穴部側に折り曲げて封緘する構造にすれば、具体的に首掛け穴部に加わる力が前記封緘部に及ばないようすることができる。
【００３２】
また、前記内容物装填袋部の上端で折り曲げられて下方に延びる部分の途中部から内容物装填袋部にほぼ直角方向に折り曲げて首掛け穴部を突出させ、その首掛け穴部の基部を下方に延して封緘部とすることによって、首掛け穴部に外力が加わった場合、封緘部と内容物装填袋部の上端に力が加わるため、力が分散し、封緘部が外れてしまうことがないという優れた効果を奏し得る。
【図面の簡単な説明】
【００３３】
【図１】本発明の第１の実施形態に係る容器用首掛け袋の説明図であって、（ａ）は表側から見た図、（ｂ）は裏側から見た図、（ｃ）封緘後の状態の後方斜視図、（ｄ）は封緘後の状態の縦断面構造説明図である。
【図２】（ａ）は図１の容器用首掛け袋の容器装着状態の説明図、（ｂ）は容器用首掛け袋の前方斜視図、（ｃ）は封緘後の状態の縦断面構造説明図、（ｄ）は容器用首掛け袋の各部寸法説明図である。
【図３】本発明の第２の実施形態に係る容器用首掛け袋の説明図であって、（ａ）は表側から見た図、（ｂ）は裏側から見た図、（ｃ）封緘後の状態の後方斜視図、（ｄ）は封緘後の状態の縦断面構造説明図である。
【図４】（ａ）は図３の容器用首掛け袋の容器装着状態の説明図、（ｂ）は容器用首掛け袋の前方斜視図、（ｃ）は封緘後の状態の縦断面構造説明図である。
【図５】比較例１に係る容器用首掛け袋の説明図であって、（ａ）は表側から見た図、（ｂ）は裏側から見た図、（ｃ）封緘後の状態の後方斜視図、（ｄ）は封緘後の状態の縦断面構造説明図である。
【図６】（ａ）は容器用首掛け袋の前方斜視図、（ｂ）は該容器用首掛け袋の容器装着状態の説明図である。
【図７】比較例２に係る容器用首掛け袋の説明図であって、（ａ）は表側から見た図、（ｂ）は裏側から見た図、（ｃ）封緘後の状態の後方斜視図、（ｄ）は封緘後の状態の縦断面構造説明図である。
【図８】（ａ）は容器用首掛け袋の前方斜視図、（ｂ）は該容器用首掛け袋の容器装着状態の説明図である。
【発明を実施するための形態】
【００３４】
以下、本発明の実施形態について、添付図面を参照して説明する。
【００３５】
図１〜図２は本発明の第１の実施形態の説明図、図３〜図４は本発明の第２の実施形態の説明図である。
【００３６】
図１〜図２に示すように、円形の穴（貫通孔）１０が形成されていてその穴１０に容器１２の略筒状に延びる首部１４を通して掛け止めする首掛け穴部１６と、試供品や景品等の内容物を装填するための内容物装填袋部１８と、前記内容物装填袋部１８に内容物を装填した後に前記内容物装填袋部１８を封緘するための封緘部２０（内容物装填袋部１８側に封緘用糊部２０ａを塗付している）とを設けてなり、封緘用糊部２０ａを再貼付可能な粘着性のものとして前記封緘部２０が封緘後に開封・再開封が可能なように設けられている容器用首掛け袋に係るものである。
【００３７】
具体的には、当該容器用首掛け袋は、帯状の樹脂フィルムを重ねて折り、その幅端部をヒートシール（符号２２で示す）した袋状帯体であって、内容物装填袋部１８の高さ方向途中部（後記する高さ方向Ｈの中央部Ｈ１）を山折りして往復させて容器首部１４に掛けるための穴１０を開けた首掛け穴部１６を形成したものである。
なお、袋状帯体は、素材がプラスチック（ＰＰ、ＰＥ、ＰＥＴ、ナイロン等）、紙、金属（アルミ箔）等からなるフィルムの単層または積層したものが好適である。また寸法としては、容器、および試供品や景品の寸法によるが、一実施例としては、幅３０ｍｍ〜１００ｍｍ程度、長さ５０ｍｍ〜１５０ｍｍ程度、厚みは試供品や景品の重量によるが、３０μｍ〜２００μｍ程度が好ましい。
【００３８】
前記容器用首掛け袋では、内容物装填袋部１８の上端１８ａにヒートシール２２しない部分を長く延ばして封緘部２０としている。この封緘部２０の内容物装填袋部１８に向く面には、封緘・再封緘可能な粘着性糊を塗付した封緘用糊部２０ａを形成している。
【００３９】
ここで、前記首掛け穴部１６が前記内容物装填袋部１８の高さ方向に対して垂直な横方向に延びて形成され、かつ、前記首掛け穴部１６の位置が前記内容物装填袋部１８の高さ方向の上端１８ａから下端１８ｂの範囲内に設けられている。
【００４０】
前記内容物装填袋部１８に外力（例えば図２（ａ）に符号Ｆで示す）が加わった場合、前記内容物装填袋部１８から首掛け穴部１６から容器１２の首部１４に力が伝わるだけで、封緘部２０に外力が加わらず、封緘用糊部２０ａが外れることが無い位置に封緘部２０を設けているものである。
【００４１】
ここで、図２（ｄ）に示すように、首掛け袋を掛ける前記容器１２の首部１４より下の高さ寸法をＬ１とし、前記内容物装填袋部１８の首掛け穴部１６より上の高さ寸法をＬ２とし、前記内容物装填袋部１８の首掛け穴部１６よりも下方の寸法をＬ３としたときにＬ１≧Ｌ３としたものである。これによって、前記内容物装填袋部１８の前記下方の寸法Ｌ３が容器首部１４より下の高さ寸法Ｌ１以下であることから、前記内容物装填袋部１８が容器１２の置いてある面に接することがなくぶら下がった状態であり、封緘部２０の外れることがない。
【００４２】
また、実施形態１の容器用首掛け袋では、前記首掛け穴部１６と前記封緘部２０が、離隔していて連続して形成されていない構造であるので、首掛け穴部１６への力が直接には封緘部２０に及ばず、封緘部２０が開かない。
【００４３】
また、図２（ｃ）に示すように、首掛け穴部１６が前記内容物装填袋部１８の長さ方向（高さ方向）Ｈの中央部Ｈ１に突出形成され、前記封緘部２０が内容物装填袋部１８の上端１８ａから首掛け穴部１６側に折り曲げて封緘する構造になっている。これによって、簡単な構成で首掛け穴部１６より上方まで内容物装填袋部１８を設けることができ、該首掛け穴部１６に加わる力で封緘部２０が開くことを防止できる。
【００４４】
上記容器用首掛け袋によれば、前記首掛け穴部１６が前記内容物装填袋部１８の高さ方向に対して横方向に延びて形成され、かつ、前記首掛け穴部１６の位置が前記内容物装填袋部１８の高さ方向の上端１８ａから下端１８ｂの範囲内の中央部Ｈ１に設けられているので、首掛け袋の中に装填する内容物の寸法が、首掛け袋を掛ける容器１２本体の寸法より大きい場合でも、首掛け袋が容器１２本体よりはみ出してしまうことが無いように設定できる。つまり、首掛け穴部１６の形成位置は、内容物装填袋部１８の下端１８ｂから１／３〜２／３の範囲の領域に存在させることが好ましい。このようにすれば、上方や下方に重量が片寄ることが無くバランスが良い。
【００４５】
それと共に、前記内容物装填袋部１８に外力が加わった場合、前記内容物装填袋部１８から封緘部２０に外力が加わらず、封緘が外れることが無い位置に封緘部２０を設けることができるので、封緘部２０が外れることを確実に防止できる。
【００４６】
次に、第２の実施形態に係る容器用首掛け袋を図３〜図４によって説明する。
【００４７】
図１〜図２に示した第１の実施形態と同様箇所に、同一の符号を付している。
【００４８】
図３〜図４に示すように、第２の実施形態に係る容器用首掛け袋では、内容物装填袋部１８の上端１８ａで折り曲げられて下方に延びる部分２４の途中部から内容物装填袋部１８にほぼ直角方向外側に折り曲げて首掛け穴部２６を突出して形成し、その首掛け穴部２６の基部２６ａを下方に延して封緘部２８とした。
【００４９】
したがって、第２の実施形態に係る容器用首掛け袋によれば、前記内容物装填袋部１８の上端１８ａで折り曲げられて下方に延びる部分２４の途中部から内容物装填袋部１８にほぼ直角方向に折り曲げて首掛け穴部２６を突出させ、その首掛け穴部２６の基部を下方に延して封緘部２８とすることによって、首掛け穴部２６に外力が加わった場合、封緘部２８（封緘用糊部２８ａ）と内容物装填袋部１８の上端１８ａに力が加わるため、力が分散し、封緘部２８が外れにくい。
【００５０】
首掛け穴部２６の形成位置は、内容物装填袋部１８の下端から１／３〜２／３の範囲の領域に存在させることが好ましい。このようにすれば、上方や下方に重量が片寄ることが無くバランスが良い。
【産業上の利用可能性】
【００５１】
本発明の容器用首掛け袋は、液体、粉体または粒体の洗剤や柔軟剤等をボトル等の容器に詰めた各種商品に試供品や景品を添えて店頭で展示・販売するために、試供品や景品を収納部に装填封緘し、上記容器の首部に首掛け穴部を通して掛ける容器用首掛け袋において、試供品や景品の寸法が容器の寸法より大きく場合でも首掛け袋が不必要に垂れ下がって邪魔になることがなく、かつ、首掛け袋に外力が加わった場合にも封緘部が外れてしまうことのない、容器用首掛け袋を利用することができる。
【符号の説明】
【００５２】
１０  首掛け穴部の穴
１２  容器
１４  容器の首部
１６  首掛け穴部（第１の実施形態）
１８  内容物装填袋部
１８ａ  内容物装填袋部の上端
１８ｂ  内容物装填袋部の下端
２０  封緘部
２０ａ  封緘用糊部
２２  ヒートシール
２４  下方に延びる部分
２６  首掛け穴部（第２の実施形態）
２６ａ  基部
２８  封緘部
２８ａ  封緘用糊部
Ｈ  内容物装填袋部の高さ方向
Ｈ１  高さ方向の中央部
【図１】
2011006119.tif 000003
【図２】
2011006119.tif 000004
【図３】
2011006119.tif 000005
【図４】
2011006119.tif 000006
【図５】
2011006119.tif 000007
【図６】
2011006119.tif 000008
【図７】
2011006119.tif 000009
【図８】
2011006119.tif 000010